(57)【要約】セミメンブレンタンクのための垂直コーナー移行部構成（１０）であって、垂直な変形押出されたアルミニウムＩ型ビーム（２０，２２）の一方の側部にセミメンブレンタンク壁（１２，１４）の水平な側面（１６）が溶接され、垂直で先細な強化コーナーブロック突起部（２８，３０）を他方の側部に有し、垂直な非強化湾曲柱セクション（３６）のエッジがコーナーブロック（２８）の突起エッジ（４０）に突き合わせ溶接される。直角に方向付けられたセミメンブレンタンク壁（１２，１４）の湾曲プレート（１６）は別の垂直な押出Ｉ型ビーム部材（２０，２２）の一方の側部に溶接され、該Ｉ型ビーム部材は他方の側部に溶接される垂直な先細の強化コーナーブロック（２８，３０）を有し、該コーナーブロックは対向するエッジが垂直な強化湾曲柱セクション（３６）に溶接される突起エッジ（４０）を有し、タンクのコーナーを完成する。
2005506937.tif 000002
【特許請求の範囲】
【請求項１】
セミメンブレンタンクの湾曲した壁セクションの端部が一方の側部で溶接される垂直アルミニウムＩ型ビームと、
Ｉ型ビームの他方の側部に位置し、突起エッジを有する垂直強化コーナーブロック押出部と、
上記コーナーブロックの突起エッジに突き合わせ溶接されるエッジを有する垂直の湾曲したアルミニウム柱セクションとを備えるセミメンブレンタンクのための垂直コーナー移行部構成。
【請求項２】
Ｉ型ビーム及び強化コーナーブロックが押出アルミニウムで製造される請求項１記載の垂直コーナー移行部構成。
【請求項３】
垂直の湾曲した柱セクションが非強化材料である請求項１記載の垂直コーナー移行部構成。
【請求項４】
垂直アルミニウムＩ型ビームをさらに備え、垂直な壁の湾曲プレートが上記Ｉ型ビームの一方の側部で溶接され、さらに垂直押出強化コーナーブロックが他方の側部で結合され、上記コーナーブロックは突起エッジを有し、垂直の湾曲した柱セクションに他方のエッジが溶接される請求項１記載の垂直コーナー移行部構成。
【請求項５】
垂直強化コーナーブロックが突起エッジに向かって先細になる請求項１記載の垂直コーナー移行部構成。
【発明の詳細な説明】
【技術分野】
【０００１】
本発明は低温で液体を保持するために頻繁に使用されるタイプのセミメンブレン(semi-membrane)タンクのためのコーナー構成に関する。
【０００２】
特許番号５，７２７，４９２号では、液化天然ガス（ＬＮＧ）のような液体ガスを保持するためのセミメンブレンタンクを開示している。該特許に記載されるように、セミメンブレンタンクの壁は水平なエッジを有する湾曲プレートを備え、該エッジはあわせて溶接され、湾曲プレートの端部を熱形成することによりエッジのコーナーで垂直の柱状コーナーと連結し、垂直なコーナーのエッジに溶接するための直角のエッジを得ることができる。この構成により湾曲プレートと垂直なコーナー柱部との間の移行部に高圧力が生じ、接続点での湾曲セクションから直角エッジへの急激な形状変化により圧力集中という結果を招く。
【０００３】
Becker他による特許番号３，３１４，５６７号では、液体貯蔵タンクのコーナーが約９０℃の円弧部を介して延在する柱状の壁材からなり、該円弧部が柱状の壁に溶接された角張った突起部を有する直角に方向づけられたビーム材に各端部で突き合わせ溶接される。Corvinoによる特許番号３，４１４，１５５号では、湾曲表面セクションを有する垂直型ビームからなるＬＮＧタンクのためのコーナー、及び直角に延在する壁材と結合する右方向内部セクションを開示している。Bridge他による特許番号３，７２１，３６２号では、タンクコーナーは直角の壁に隣接する対向した波形材料に溶接された特殊な形をした移行材料からなる。
【発明の開示】
【０００４】
従って、本発明の目的は、先行技術の不利点を解消するセミメンブレンタンクのための垂直コーナー移行部構成を提供することである。
【０００５】
本発明の他の目的は、湾曲したタンク壁面と垂直な柱部コーナーとが接する面での潜在的な疲労亀裂を削減するセミメンブレンタンクのための垂直コーナー移行部構成を提供し、該コーナーの包括的な製造能力を向上させることである。
【０００６】
本発明の上記及び他の目的は、変形(modified)押出された垂直アルミニウムＩ型ビーム(I-beam)を備えることにより達成され、該Ｉ型ビームはタンクの水平方向に湾曲した壁セクションの端部に一方の側部が溶接される中心ウェブ(web)を有し、垂直で先細になる強化コーナーブロック(vertical tapered stiffening corner block)が他方の側部で溶接され、非強化で(unstiffened)垂直の湾曲した柱セクション(cylinder section)が強化コーナーブロックの先細突起端部に突き合わせ溶接できる。この構造により、湾曲面及び端部プレートのフラットな垂直コーナープレートへの移行が不要となるので、コーナーセクションでの高圧力は低減され、コーナーセクションの製造が容易化する。
【０００７】
本発明のさらなる目的及び利点は、添付した図面と併せて明細書を読めば明らかである。
【発明を実施するための最良の形態】
【０００８】
図で示した本発明の代表的な実施形態において、垂直コーナー移行部構成１０は垂直に方向づけられた２つのセミメンブレンタンク壁１２及び１４と連結し、各セミメンブレンタンク壁が、エッジ１８を有する湾曲した側面１６を備え、図３に最もよく示すように、該エッジは押出Ｈ−セクション(extruded H-section)３８の対応するエッジに溶接され、各壁１２及び１４の側面１６の端部が押出変形した２つのＩ型ビーム２０及び２２の１つに溶接される。押出Ｈ−セクション３８は湾曲した側面１８を結合するために用いられ、図３に示すように、変形したＩ型ビームの最表面２６と一列配置される。垂直で先細になる強化コーナーブロック２８及び３０は変形したＩ型ビームの中心ウェブ３２及び３４中にそれぞれ一体化しており、垂直の非強化湾曲柱部分３６は強化コーナーブロック２８及び３０の突起エッジ４０に溶接され、移行部を完成する。
【０００９】
変形したＩ型ビーム２０及び２２は、好ましくはアルミニウム押出材で製造され、溶接を減らし、熱影響ゾーン(HAZ)の削減により該部材が材料の全強度を確実に向上させ、タンク構造のコーナーにさらなる強度を与える構造的支持部材を構成し、船が横揺れや縦揺れをする中でも液体ガス貨物によって発生する大きな圧力負荷に耐えることができる。非強化で垂直の湾曲した柱部３６は冷却形成、好ましくはプレート・ローリングにより製造され、アルミニウムプレートであり、タンクのコーナーでの動力的負荷から生じる高圧力に耐え得る十分な厚さを有する。ロール部材ではなく押出材を用いることにより、潜在的な層破損(lamellar tearing)または分離といった問題が取り除かれ、結合部が単一部材として機能する。
【００１０】
本発明は特定の実施形態を参照して記述されているが、広範囲に変形及び変更が可能であることは当業者には明らかである。例えば、垂直で先細になる強化コーナーブロックを溶接された異なる厚さの２つのブロックに置き換えてもよく、湾曲した柱部の厚さと適合する突起エッジを備えることができる。従って、全ての変更及び変形は本発明が意図する目的に内包される。
【図面の簡単な説明】
【００１１】
【図１】図１は本発明のセミメンブレンタンクのための垂直コーナー移行部構成の代表的な実施形態を示す概略的平面図である。
【図２】図２は図１に示す構成の側面図である。
【図３】図３は図２に示すように、図１に示す構成の左から見た端面図である。
【国際公開パンフレット】
2005506937.tif 000003
2005506937.tif 000004
2005506937.tif 000005
2005506937.tif 000006
2005506937.tif 000007
2005506937.tif 000008
2005506937.tif 000009
2005506937.tif 000010
【国際調査報告】
2005506937.tif 000011